(57)【要約】      （修正有）【課題】リングの内周側をえぐるとともにこのえぐった部分を蓋部によって閉塞してなるリング状装身具において、蓋部の固着作業が容易であるとともに、蓋部のデザイン上の自由度も大きくすることを可能にする。【解決手段】内周側任意の箇所をえぐってえぐり部３を形成したリング部２と、えぐり部３の任意の箇所を閉塞した、任意のデザインを施した蓋部４とを備えるリング状装身具であり、蓋部４は、蓋部本体５と、蓋部本体５の周縁部任意の箇所から突設させた、リング部２の内周側に連結される連結用突起部６を具備し、連結突起部６をリング部２の内周に固着することで蓋部４をリング部２の内周側に装着可能とし、これにより、蓋部４の装着作業を容易にするとともにサイズ直しも容易にし、また、蓋部のデザイン上の自由度を大きくし、更に、通気性を増した。【選択図】図５
0003106019.tif 000002
【実用新案登録請求の範囲】
【請求項１】
内周側任意の箇所をえぐってえぐり部（３）を形成したリング部（２）と、前記えぐり部（３）の任意の箇所を閉塞した、任意のデザインを施した蓋部（４）とを備えるリング状装身具であって、
前記蓋部（４）は、蓋部本体（５）と、該蓋部本体（５）の周縁部任意の箇所から突設させた、前記リング部（２）の内周側に連結される連結用突起部（６）と、を具備したことを特徴とするリング状装身具。
【請求項２】
内周側任意の箇所をえぐってえぐり部（３）を形成したリング部（２）と、前記えぐり部（３）の任意の箇所を閉塞した、任意のデザインを施した蓋部（４）とを備えるリング状装身具に用いる前記蓋部（４）であって、
蓋部本体（５）と、該蓋部本体（５）の周縁部任意の箇所から突設させた、前記蓋部本体（５）を前記リング部（２）の内周側に連結するための連結用突起部（６）と、を具備したことを特徴とするリング状装身具の裏貼り用蓋部。
【考案の詳細な説明】
【技術分野】
【０００１】
本考案はリング状装身具及びそれに用いる蓋部に係り、より詳しくは、装身具を構成するリングの内周側にえぐり部を形成するとともに、デザインを施した蓋部で前記えぐり部を閉塞することにより成るリング状装身具、及びそれに用いる蓋部において、蓋部を、蓋部本体とこの蓋部本体の周縁部から突設させた連結用突起部で構成し、連結用突起部をリングの内周側に固着することにより蓋部をリングの内周側に装着したことを特徴とするリング状装身具及びこれに用いる蓋部に関する。
【背景技術】
【０００２】
従来から、指輪等のリング状装身具では、リング部等に各種のデザインが施されており、これにより、リング状装身具の外観に独自性を持たせて差別化を図ることが行われているが、最近では、特にリングの外観に独自性を持たせるデザイン上の差別化競争にも限界がきており、その結果、各社の製品間では外観上の差異は微細なものに留まってしまっている。
【０００３】
また、従来からリング状装身具の中には、装身具全体の軽量化等を目的として、リングの内側をえぐったものが存在するが、このリングの内側をえぐったリング状装身具では、前述したようにリング状装身具全体を軽量化することができるという利点がある一方、リングの内側をえぐっていない、いわゆる無垢のリングを用いたリング状装身具と異なり、このえぐり部の存在により、これを指、手首等にはめた際に、えぐった部分が指、手首等に当たり、はめ心地が良くないという問題点があった。
【０００４】
そのため、本考案者は過去において、このリングの内側をえぐった指輪及びその問題点に着目し、内側にえぐり部を形成したリング部と、えぐり部の任意の箇所を閉塞した蓋部とを備える指輪を提案した。
【０００５】
即ち、この指輪では、指輪を構成するリングの内周側をえぐってえぐり部を形成し、このえぐり部の形状に対応した形状及び寸法を有するとともに任意のデザインを施した蓋部を用いて、この蓋部をリングの内周側に固着してえぐり部を閉塞したことを特徴としている。
【０００６】
そして、これにより、指輪の裏側に独自性を持たせることで指輪全体の外観に独自性を持たせデザイン上の差別化を図ることができるとともに、指輪を指に装着した際にえぐり部が指にあたってしまうことを防止して装着感を良くすることを可能とした。
【特許文献１】実用新案登録第３０６４７８１号公報
【考案の開示】
【考案が解決しようとする課題】
【０００７】
ところで、前述した従来の指輪では、蓋部の形状寸法をリング内周に形成したえぐり部を閉塞可能な形状寸法にし、蓋部の周縁部の全面をリングの内周側に固着していたために、蓋部の固着作業が大変であった。
【０００８】
また、蓋部の周縁部の全面をリングの内周側に固着していたために、蓋部を容易に変形させることができず、そのため、リング径のサイズ直し等の作業も煩雑にならざるを得なかった。
【０００９】
更に、蓋部の形状寸法はえぐり部を閉塞可能な形状寸法にしなければならないために、蓋部のデザイン等の制約が大きくならざるを得なかった。
【００１０】
そこで、本考案は、リングの内周側をえぐるとともにこのえぐった部分を蓋部によって閉塞してなるリング状装身具において、蓋部の固着作業が容易であるとともに、蓋部のデザイン上の自由度も大きくすることが可能なリング状装身具及びそれに用いる蓋部を提供することを課題としている。
【課題を解決するための手段】
【００１１】
本考案のリング状装身具は、内周側任意の箇所をえぐってえぐり部を形成したリング部と、前記えぐり部の任意の箇所を閉塞した、任意のデザインを施した蓋部とを備えるリング状装身具であって、前記蓋部は、蓋部本体と、該蓋部本体の周縁部任意の箇所から突設させた、前記リング部の内周側に固着される連結用突起部と、を具備したことを特徴としている。
【考案の効果】
【００１２】
本考案においては、リング部の内周側に形成したえぐり部を閉塞する蓋部を備えるとともに、この蓋部は、蓋部本体と、この蓋部本体における周縁部任意の箇所に突設した連結用突起部とを有しており、連結用突起部をリング部の内周に固着することにより、蓋部をリングに装着可能としている。
【００１３】
このように、本考案のリング状装身具では、蓋部に突設した連結用突起部をリング部の内周側に固着するのみで蓋部をリングの内周側に装着可能としたために、蓋部の周縁部全域をリングの内周側に固着しなければならなかった従来のリング状装身具と異なり、蓋部の装着作業が容易になった。
【００１４】
また、蓋部とリング内周とは蓋部に備えた連結用突起部とによって連結しているのみであるために、蓋部の変形が容易であり、そのため、リング径のサイズ直し等の作業も容易になった。
【００１５】
更に、蓋部とリング内周とを蓋部に備えた連結用突起部とによって連結していることにより、蓋部の形状をえぐり部の形状等に影響されない形状寸法にすることができるため、蓋部のデザイン上の自由度が増し、リング状装身具の裏側に、より独自性を持たせ、これによりリング状装身具全体の外観の独自性も大きくすることが可能となった。
【００１６】
更にまた、リングの内周と蓋部との連結を連結用突起部により行っているために、リングの内周側と蓋部との間に隙間を形成することができ、この隙間によって通気性を増し、指のむれ等を未然に防止することが可能となった。
【考案を実施するための最良の形態】
【００１７】
本考案のリング状装身具では、これを構成するリングの内周側の任意の箇所を周方向に沿って任意の距離及び深さだけえぐってえぐり部を形成するとともに、このえぐり部を任意のデザインを施した蓋部で閉塞しつつ、蓋部をリングの内周側に装着している。
【００１８】
そして、前記蓋部は、蓋部本体と、この蓋部本体の周縁部任意の箇所から突設させた連結用突起部とを有しており、連結用突起部を前記リング部の内周側に固着することにより、リングの内周側に蓋部を装着している。
【００１９】
ここで、前記蓋部は、えぐり部の全面を閉塞するようにしてリングの内側に固着しても良く、また、えぐり部の一部分を残してリング部の内側に固着しても良い。
【実施例１】
【００２０】
本考案のリング状装身具の実施例について図面を参照して説明すると、本実施例では指輪を例にして説明する。即ち、図１は本実施例の指輪を示した斜視図であり、また、図２には本実施例の指輪の縦断正面の概略を示した図であり、更に、図３は、図１におけるＡ−Ａ線断面の概略を示した側面の断面図であり、図において１が本実施例の指輪である。
【００２１】
そして、本実施例の指輪１では、これを構成するリング部を有しており、即ち、図において２がリング部であり、このリング部２の外側上部には、適宜、宝石等が係止される。
【００２２】
ここで、本実施例における前記リング部２は、その内周側を、リング部２の周方向に沿うようにして、任意の長さ及び深さでえぐりとり、これにより、リング部２の内周側にえぐり部３を形成している。そのため、本実施例の指輪１では指輪１の全体の軽量化をはかることができ、特に大型の指輪をはめた際の指への負担を少なくすることができる。
【００２３】
次に、前記えぐり部３は、任意のデザインを施した蓋部によって閉塞されている。即ち、図において４が蓋部であり、本実施例においてこの蓋部４には、任意のデザインで装飾が施されており、この蓋部４を、前記えぐり部３を閉塞するような配置で、リング部２の内周側に装着されている。
【００２４】
ここで、前記蓋部４について説明すると、図４は前記蓋部４の斜視図であり、本実施例においてこの蓋部４は、リング部２の内周側に対応させた湾曲形状とした蓋部本体５を備えており、この蓋部本体５には、蓋部本体５を任意の形状で切り欠いて形成した複数の切り欠き５０１を形成することにより、この切り欠き５０１によって任意の装飾が施されている。
【００２５】
そして、前記蓋部本体５の周縁部における任意の箇所には、蓋部４をリング部２の内周側に装着するための連結用突起部を突設している。即ち、本実施例においては、蓋部本体５の長手方向に沿った両端側に、任意の間隔を置いて、任意の長さとした連結用突起部６を突設しており、この連結用突起部６をリング部２の内周側に固着することで、蓋部４をリング部２の内周側に装着可能としている。
【００２６】
次に、本実施例の指輪１の製造方法について説明すると、まず図５において、無垢のリング２の内側に、任意の長さ及び深さとしたえぐり部３を、リング２の周方向に沿って形成する。なおえぐり部３の長さは及び深さは、指輪全体の大きさ等によって適宜判断すると良い。
【００２７】
次に、任意のデザインを施した蓋部４を、前記えぐり部３を略閉塞するように配設しつつ、連結用突起部６をリング部２の内周側に鑞付け等により固着し、これにより、蓋部５をリング部２の内周側に装着する。そしてその後は、適宜、前記リング部２の内周側と連結用突起部６との接合部分等を磨いて接合箇所がわからなくなるようにし、これにより本実施例の指輪１が完成する。
【００２８】
そうすると、えぐり部３を形成することにより指輪全体の軽量化を図ることができるとともに、蓋部４の存在により、指輪１をはめた際のはめ心地の悪さを無くして、えぐり部を形成していない無垢の指輪の場合と同等のはめ心地を得ることもできる。
【００２９】
更に、本考案の指輪では、蓋部４に突設した連結用突起部６をリング部２の内周側に固着することで蓋部４をリング部２の内周側に装着可能としたために、蓋部４の周縁部全域をリング部の内周側に固着しなければならなかった従来の指輪と異なり、蓋部４の装着作業が容易になるとともに、蓋部４の変形が容易であり、そのため、リング径のサイズ直し等の作業も容易になった。
【００３０】
また、蓋部４とリング部２の内周とを蓋部４に備えた連結用突起部６とによって連結していることにより、蓋部４の形状をえぐり部３の形状等に影響されない形状寸法にすることができるため、蓋部４のデザイン上の自由度が増し、指輪１の裏側に、より独自性を持たせ、これにより指輪全体の外観の独自性も大きくすることが可能である。
【００３１】
更にまた、リング部２の内周と蓋部４との連結を連結用突起部６により行っているために、リング部２の内周側と蓋部４との間に隙間を形成することができ、この隙間によって通気性を増し、指のむれ等を未然に防止することが可能となった。
【００３２】
なお、前記蓋部４の長さは任意であり、例えば、前記えぐり部３を全面において閉塞するような長さにしても良く、あるいは、前記えぐり部３の下端部分近傍を閉塞しないような長さにしても良い。そして、えぐり部３の下端部分近傍等を閉塞しないような長さにした場合には、リング部２のサイズ直しをする場合に、蓋部４の存在により作業が複雑になることを有効に防止することができるという利点もある。
【００３３】
また、本考案における蓋部本体５に形成した切り欠き５０１による装飾のデザインは任意であり、図に示すデザインには限定されない。
【産業上の利用可能性】
【００３４】
本考案は、リング状装身具の裏貼りのための蓋部を、蓋部本体とこの蓋部本体の周縁部に突設した連結用突起部とにより構成し、連結用突起部をリング部の内周側に固着することで蓋部をリング部の内周に装着可能としているため、指輪、ブレスレット等のリング状装身具に限らず、ペンダント等の裏貼りにも適用可能である。
【図面の簡単な説明】
【００３５】
【図１】本考案の指輪の実施例の斜視図である。
【図２】本考案の指輪の実施例の縦断正面を示す図である。
【図３】図１におけるＡ−Ａ線断面を示す図である。
【図４】本考案の指輪の実施例における蓋部を示した斜視図である。
【図５】本考案の指輪の実施例の製造過程を説明するための図である。
【符号の説明】
【００３６】
１    指輪
２    リング部
３    えぐり部
４    蓋部
５    蓋部本体
５０１    蓋部本体に形成した切り欠き
６    連結用突起部
【図１】
0003106019.tif 000003
【図２】
0003106019.tif 000004
【図３】
0003106019.tif 000005
【図４】
0003106019.tif 000006
【図５】
0003106019.tif 000007